(57)【特許請求の範囲】
【請求項１】
山肌，崖，法面等の地盤（Ｇ）の傾斜面に露出し崩落のおそれがある複数の石（Ｓ１，Ｓ２・・・）の集合体（Ｓ）に対して落石防止ネット（２）を被覆することにより落石を防止する方法であって、上記落石防止ネット（２）がワイヤーロープ（４）の両端を該ワイヤーロープ（４）の両端にそれぞれ設けられ、互に係合し合う係合金具（５）と該係合金具（５）に対して係脱されるフック部（７）を備えた係止金具（６）とからなる端部連結具（３）によって係脱可能に連結してリング状のエレメント（１）を形成し、前後左右及び斜め上下方向に隣接するエレメント（１）同士を相互に交差させて連結することによりネットを構成し、該落石防止ネット（２）の適当箇所のエレメント（１）を、表面に突出した石と石との間に形成される凹部内の石に対しエレメントアンカー（１０）を打込み固定してアンカー止めすることにより、前記落石防止ネット（２）を上記集合体（Ｓ）表面に突出した石（Ｓ１，Ｓ２・・・）の表面に密着させて包み込んだ抱持状態で被覆し、石（Ｓ１，Ｓ２・・・）の転動を防止する落石防止工法。
【請求項２】
大型の石（Ｓ１）に落石防止ネット（２）を被覆し、該石（Ｓ１）の頂部を破砕して安定形状に整形し、その砕石（２２）を石（Ｓ１）の周辺に集合させて落石防止ネット（２）により被覆固定する請求項１の落石防止工法。
【発明の詳細な説明】
【技術分野】
【０００１】
本発明は、山肌や崖等の傾斜面に露出する石を、ワイヤーロープをリング化したエレメントからなる落石防止ネットで被覆する落石防止工法に関する。
【背景技術】
【０００２】
従来、上記のような傾斜面（法面）に露出する複数の石の集合体（以下転石群と言う）を、ワイヤーロープをリング状の編み目に形成した落石防止ネットで被覆する際に、崩落のおそれがある石を互いに連結し落石防止及び法面の安定化を図る落石防止工法は、特許文献１で示されるように既に公知である。
【０００３】
この特許文献１で示される落石防止ネットは、石群や浮き石に対しリング状に形成したワイヤーロープを抱持するようにはめ込んで順次連結し、且つ連結したワイヤーロープの中途部を法面に打ち込まれるアンカーピン（グランドアンカー）の頭部に掛け止めし法面に固定される。
【０００４】
【特許文献１】特開２００３−００３４２７号公報（第２ページ，図３）
【発明の開示】
【発明が解決しようとする課題】
【０００５】
上記特許文献１で示される落石防止ネットは、ワイヤーロープをリング状に形成し石にはめ込み他の石と連結するので、不安定な地形の法面においてワイヤーロープの弛みを防止しながら行う、はめ込み及び連結作業に手間と熟練を要する。またグランドアンカーに係止し法面に固定されるワイヤーロープは、はめ込んだ石と法面との間に大きな空隙を伴い易く、空隙内の石を不安定なまま残すことになる。
【０００６】
さらに、ワイヤーロープがはめ込まれた石が地震等によって傾動した場合に、当該ワイヤーロープは弛んでグランドアンカー頭部の掛け止め部から外れ易く転動抑止力が低減する等の欠点がある。またワイヤーロープをリング状に形成し石にはめ込む落石防止ネットは、転石群の現地状況に合わせ長尺なワイヤーロープを任意長さに切断して施工されるので、山腹斜面等での施工性を悪化させる。
【０００７】
一方上記落石防止ネットの転動抑止力を復元する修正作業は、ワイヤーロープの長さに規制されるので煩雑で不充分なものとなる。また種々の異なる長さに切断され特定現場で施工されたワイヤーロープは、これを解き外し別の現場に移して再利用することが困難で部材ロスを伴う等の問題もある。
【０００８】
また従来の落石防止ネットの固定手段は、図７で示すように一般には１〜１．５ｍ程度の長尺グランドアンカー１１を、縦横のワイヤーロープが交差連結される交点部に対し２ｍ程度のアンカー間隔毎の法面に打設される。また被覆した足場条件の悪い浮き石等に対しては、ドリル穴（アンカー穴）を穿設し上記長尺グランドアンカー１１を打ち込んでワイヤーロープを掛け止めし落石防止ネットの中途部が固定される。
【０００９】
従って、上記のようなネット固定手段では、長尺グランドアンカー１１をアンカー間隔毎に多数打設する手間を要すると共に、石に対し深いアンカー穴を穿設するドリル作業（現場穿孔作業）に、コンプレッサを含め大がかりな穿孔機材を必要とする。また緊急を要する落石防止対策の工期が延びると共に、落石防止コストも増大する等の課題がある。
【課題を解決するための手段】
【００１０】
上記課題を解決するためにこの落石防止工法は、第１に、山肌，崖，法面等の地盤Ｇの傾斜面に露出し崩落のおそれがある複数の石Ｓ１，Ｓ２・・・の集合体Ｓに対して落石防止ネット２を被覆することにより落石を防止する方法であって、上記落石防止ネット２がワイヤーロープ４の両端を該ワイヤーロープ４の両端にそれぞれ設けられ、互に係合し合う係合金具５と該係合金具５に対して係脱されるフック部７を備えた係止金具６とからなる端部連結具３によって係脱可能に連結してリング状のエレメント１を形成し、前後左右及び斜め上下方向に隣接するエレメント１同士を相互に交差させて連結することによりネットを構成し、該落石防止ネット２の適当箇所のエレメント１を、表面に突出した石と石との間に形成される凹部内の石に対しエレメントアンカー１０を打込み固定してアンカー止めすることにより、前記落石防止ネット２を上記集合体Ｓ表面に突出した石Ｓ１，Ｓ２・・・の表面に密着させて包み込んだ抱持状態で被覆し、石Ｓ１，Ｓ２・・・の転動を防止することを特徴としている。
【００１１】
第２に、大型の石Ｓ１に落石防止ネット２を被覆し、該石Ｓ１の頂部を破砕して安定形状に整形し、その砕石２２を石Ｓ１の周辺に集合させて落石防止ネット２により被覆固定することを特徴としている。
【発明の効果】
【００１２】
以上のように本発明の落石防止工法によれば、ワイヤーロープの両端を係脱可能な端部連結具で連結しリング化せしめるエレメントによって、石の表面を包み込むように被覆した落石防止ネットを簡単に形成することができる。またエレメントはエレメントアンカーによって石に位置決め固定されるので、複数の石の集合体に対しても落石防止ネットの全体を各石に沿わせて密着状態で被覆し転動抑止力を高めることができる。
【００１３】
また落石防止ネットは可撓性を有し端部連結具を設けたワイヤーロープからなるエレメントで構成されるので、エレメントの組み替えやその加減等が簡単で、落石防止ネットの形成及び転動抑止力の復元を速やかに行うことができる。さらにエレメントを解き外して行うエレメントの再利用が簡単になる。
【発明を実施するための最良の形態】
【００１４】
本発明の一実施形態を図面に基づいて説明する。図１において符号１は落石防止ネット２を形成する端部連結具３付きのエレメント（端部連結ロープ）である。このエレメント１は後述するように所定の強度及び可撓性を有するワイヤーロープ４と、該ワイヤーロープ４の端部にそれぞれ取付固定される係合金具５と係止金具６とからなる端部連結具３で構成される。
【００１５】
図６で示すようにこの落石防止ネット２は、法面（地盤）Ｇ等に点在する転石群Ｓを覆った状態において、転石群Ｓ中の任意な石に後述するエレメントアンカー１０によって固定支持することができる。さらに従来のものと同様にグランドアンカー１１を用いて地盤Ｇに固定することができる。
【００１６】
以下落石防止ネット２の詳細な構成及びネット施工手段等について説明する。先ずワイヤーロープ４は落石防止対象とする落石径に合わせた太さと長さに形成され、その両端のそれぞれに係合金具５と係止金具６がカシメ又は溶接等の固定手段によって取付固定される。これによりワイヤーロープ４は係合金具５と係止金具６を連結するとリング状のエレメント１を形成できる。
【００１７】
そして、落石防止ネット２の形成は上記第１のエレメント１のリング内に、別のワイヤーロープ４の一端を挿入しその係合金具５と係止金具６を連結すると、第１のエレメント１に交差させて別の（第２の）リング状エレメント１を連結することができる。さらに第１と第２のエレメント１，１に対し別のワイヤーロープ４を順次挿入し連結すると、第３，第４・・のエレメント１，１・・の連結によって、一連の落石防止ネット２を形成することができる。
【００１８】
また図示例における各エレメント１を構成するワイヤーロープ４は、現場において運搬及び取り扱い性に優れ石に対し嵌め易い略５０ｃｍ程のリング直径を形成する長さに定めて規格化している。これにより施工現場に適応した任意な大きさと形状の落石防止ネット２を簡単且つ経済的に構成することができる。尚、対象とする石の大きさやアンカーとなる立木に適応する任意直径の特定なエレメント１を混在して落石防止ネット２を組み上げることもできる。
【００１９】
また端部連結具３は、係止金具６のフック部７に止めボルト８を備え、該フック部７を係合金具５の係合ピン９に引っ掛けた状態で止めボルト８をねじ込み、両者の連結を強固にすると共に、連結及び連結解除等の係脱作業を速やかに行うことができるナックル型連結具としている。
【００２０】
従って、ワイヤーロープ４に設けたナックル型の端部連結具３は、地震等によって局所のエレメント１が弛んだ場合に、該エレメント１の組み替えや位置の変更及びその加減等が簡単で、落石防止ネット２の転動抑止力の復元を速やかに行うことができる。さらに施工した落石防止ネット２のエレメント１を解き外して行う、エレメント１の再利用をワイヤーロープ４の損傷を防止し能率よく行うことができる等の利点がある。
【００２１】
次に、図３を参照し落石防止ネット２を石に固定するエレメントアンカー１０について説明する。エレメントアンカー１０は、石に１０ｃｍ程度の深さに穿設されるドリル穴（アンカー穴）１２に挿入するアウター１３と、該アウター１３内に打ち込まれるロープ孔１５を有したインナー１６とからなる。尚、アウター１３はリング状に連なる下端部から上方に向けて拡開用のスリットを複数（図示例では４ヵ所）形成し、内部にインナー１６を抜け止め噛合せしめる円錐孔が形成される。
【００２２】
そして、同図（Ｅ）及び図１０で示すように、アンカー穴１２内に挿入されたアウター１３の円錐孔内に、インナー１６を挿入して打ち込むと、インナー１６はその先端部でリング部を破壊しアンカー穴１２の底部でアウター１３を拡開するので、エレメントアンカー１０は短くても石に強固に固定される。
【００２３】
このようにエレメントアンカー１０は、従来のものと比較し１０ｃｍ程度のアンカー穴１２を穿設すればよいから、一つの石に対して複数のアンカー穴１２の穿設を簡易型の電動ドリル等の穿孔機によって容易に行うことができる。
【００２４】
またインナー１６は板状に形成したピン頭部にロープ孔１５を穿設し、同図（Ｆ）に示すシャックルボルト１７を挿脱可能に挿入し、シャックル１９を同図（Ｅ）で示すように取付支持することができる。
このエレメントアンカー１０の使用は、先ずシャックル１９をアンカー穴１２に固定したエレメントアンカー１０の近傍に位置するワイヤーロープ４に通す。次いで、ワイヤーロープ４を挿入したシャックル１９を、シャックルボルト１７によってインナー１６のロープ孔１５に止める。
【００２５】
これによりワイヤーロープ４を固定支持されるエレメント１、及び該エレメント１に連結して隣接する複数のエレメント１，１・・は、エレメントアンカー１０，１０・・によって石に近接して位置決め固定されるので、落石防止ネット２全体を転石群Ｓの各石に沿わせて密着状態で被覆することができる。従って、エレメントアンカー１０で固定された落石防止ネット２は、従来のもののように石と法面の間に大きな空隙や緩みを生ずることなく、各石の表面を包み込んだ抱持状態で被覆することができる。
【００２６】
一方このエレメントアンカー１０は、ワイヤーロープ４をシャックル１９によって取付支持した状態のインナー１６を、アンカー穴１２内に挿入したアウター１３に対して打ち込むこともできる。この場合にはハンマーによってインナー１６の頭部を叩きピン部をアウター１３内に圧入するので、ワイヤーロープ４を下方に徐々に緊張させながら密着性の高い固定をすることができる。尚、エレメント１はワイヤーロープ４をインナー１６のロープ孔１５に予め挿入したものでも同様に施工することができる。
【００２７】
次に以上のように構成される落石防止ネット２の施工例を図６を参照し説明する。尚、前記したものと同様な構成及び作用等については説明を省略する。ワイヤーロープ４の両端を係脱可能な端部連結具３で連結しリング化した複数のエレメント１は、山肌等の地盤Ｇに点在する転石群Ｓの各石の表面に順次連結すると、落石防止ネット２を形成して石を包み込んだ状態で被覆することができる。
【００２８】
このとき図６（Ａ）及び図８（Ａ）で示されるように、落石防止ネット２は複数のエレメント１を相互に交差させ、石Ｓ１の頂部から下方の周囲を編み目状に縛るように被覆した抱持状態とし、被覆面積を大きくして転動抑止力を増大せしめる。また離れた位置にある別の石Ｓ２に対しても同様に被覆するので、石Ｓ１，Ｓ２・・は落石防止ネット２を介して連結され互いの転動抑止力を補完し合うことになる。
【００２９】
従って、緩い傾斜地や平地にある転石群Ｓの石Ｓ１，Ｓ２・・に対し、エレメントアンカー１０及びグランドアンカー１１等を敢えて必要とすることなく、落石防止ネット２のみによって転石群全体としての安定度を高めて転動を防止し、低コストの落石防止対策を行うことができる。尚、参考までに各石Ｓ１，Ｓ２・・を落石防止ネット２で連結する連結理論効果について、図４（Ａ），図４（Ｂ）及び図５（Ａ），図５（Ｂ）を参照し後述する。
【００３０】
また上記の落石防止対策において図６（Ａ）で点線にて示すように、転石群Ｓを被覆した落石防止ネット２の周囲を、隣接する石と石の間に形成される凹部に補助ロープ２０を巻き付けて縛ることもできる。また石と石で形成される空隙に補助ロープ２０を差し込み対向するエレメント１，１を縛ることもできる。この場合落石防止ネット２の中途部は補助ロープ２０によって巾着絞り状に緊締されるので、落石防止ネット２の抱持状態をより確保することができる。
【００３１】
また傾斜の大きい法面等の転石群Ｓに対しては、石Ｓ１，Ｓ２・・を抱持状態で被覆した落石防止ネット２の適当箇所のエレメント１を、エレメントアンカー１０，１０・・によって石Ｓ１，Ｓ２・・に固定すると、落石防止ネット２と石Ｓ１，Ｓ２・・とのずれや移動を防止できるから転動抑止力を高めることができる。
【００３２】
さらに必要により、転石群Ｓを被覆する落石防止ネット２の下辺を形成するエレメント１にアンカーロープ２１を挿通し緊締した状態にすると共に、該アンカーロープ２１の適所をグランドアンカー１１，１１・・で地盤Ｇに固定する。この場合には従来のものと同様に落石防止ネット２を地盤Ｇに固定して転動抑止力を向上し得る。
【００３３】
次に、図８で示す落石防止工法について説明する。図８（Ａ）は急傾斜の法面に露出した大型単体の石Ｓ１に対する落石防止対策を示す。この場合には石Ｓ１を被覆する落石防止ネット２のエレメント１を法面に近接する位置まで設けて周囲を縛るように連結すると共に、該エレメント１にアンカーロープ２１を挿通しグランドアンカー１１で地盤Ｇに固定する。
【００３４】
図８（Ｂ）は上記石Ｓ１が明らかに転倒等のおそれがある場合に、石Ｓ１の頂部を部分的に破砕し小割除去する小割工を行うに好適な落石防止対策を示す。この場合も上記図８（Ａ）のものと同様に石Ｓ１に対し、先ず落石防止ネット２を仮支持状態で被覆する。次いで石Ｓ１の中途部に対し小割工を行い安定形に整形し、略平坦状に形成された石表面にエレメントアンカー１０を打ち込み落石防止ネット２を形を整えて固定する。
【００３５】
このとき小割工は、各エレメント１のリング間隙から図示しない破砕具を挿入するか、又は石Ｓ１の頂部へのエレメント１の被覆装着を一部施工しない間隙から破砕具を挿入して破砕作業を行う。また破砕作業によって生じた砕石２２は自ずと落石防止ネット２内で石Ｓ１の周囲に落下せしめるから、大きな砕石２２の転落を防止した作業を能率よく行うことができる。次いで作業者は砕石２２を編み目から漏出しないように集合させたのち、落石防止ネット２及びそのエレメント１を整えたのち、エレメントアンカー１０等によるネット固定を完了する。
【００３６】
従って、この落石防止対策による小割工は、石Ｓ１に落石防止ネット２を被覆して行うので、従来のもののように大量に発生する砕石２２を足場の悪い山腹斜面から搬出除去する等の重労働を要することがない。また砕石２２は落石防止ネット２により転動を防止しながら、集合状態で石Ｓ１の転動を防止する石として利用し簡単に野積みすることができる等の利点がある。
【００３７】
尚、以上のように使用することができる落石防止ネット２は、図９（Ａ）に示すように土石流をせき止めたり動物の通路を遮蔽する等の仮設防護ネット２ａとしても利用することができる。即ち、この仮設防護ネット２ａは落石防止ネット２の場合と同様に複数のエレメント１を相互に交差させて形成した広巾なネットを、支持ロープ２３を介して現場に立設する立木等に固定し張設する。
【００３８】
また仮設防護ネット２ａと対比する従来の仮設防護ネット２ｂを図９（Ｂ）に示す。この従来仮設防護ネット２ｂは縦ロープ２５と横ロープ２６をネット状に組み上げ、両者のロープ交点に交点固定具を設けて広巾なネットを形成し、支持ロープ２３を介して現場に張設される。
従って、仮設防護ネット２ａは従来仮設防護ネット２ｂに比較し、最小のエレメント１単位に分解することができるので、運搬及び現場の状況に応じた設置とエレメント１の再利用を簡単に行うことができる。
【００３９】
次に、前記各石Ｓ１，Ｓ２・・を落石防止ネット２で連結する連結理論と効果について、図４（Ａ），図４（Ｂ）及び図５（Ａ），図５（Ｂ）を参照し説明する。
【００４０】
（目的）
石の連結効果について詳述する。落石の初動は滑動もしくは転倒であり、石を連結した場合の効果は以下のようになる。
【００４１】
（滑動について）
図４（Ａ），（Ｂ）において
Ｆ＝抵抗する力／滑動する力（H）
＝ΣS／ΣT＝Σ（ｗicosθi・μ／ｗisinθi）    ・・・（式１）
Ｆ：安全率
ｗ：石の重量
θ：地表の傾斜角
μ:摩擦係数(一般に土砂0.6、岩盤0.7)
i：１〜ｎ
図４（ｂ）のように不安定な領域の石を安定領域のものと連結することで、転石群全体としての安全率を確保する。この場合のワイヤーロープの負担力Pは、個々の石に対して  Fｐi＝Si／（Ti−Pi）
Pi＝Ti（Fｐi−Fi）／Fｐi
Pi：ワイヤーロープに作用する負担力
Fｐi：目標安全率
Fi：初期安全率
実際には負担力Pが最も大きくなる転石（群）に対して設計（ロープ径及び本数等）し、これを全体にあてはめることになる。尚、連結しても全体としての安全率が不足する場合には、グランドアンカー１１等による補強を行う。
【００４２】
（転倒について）
図５（Ａ），（Ｂ）において
Ｆ＝抵抗する力／転倒する力
＝ΣR／ΣM＝Σ〔wicosθi・xi／（wisinθi・yi）〕  ・・・（式２）
Ｆ：安全率
ｗ：石の重量
θ：地表の傾斜角
i：１〜ｎ
ｘ：回転点から石の重心までの抵抗に関する距離
y：回転点から石の重心までの転倒に関する距離
図５（Ｂ）のように石を連結していくことで転石群としての重心位置を安定領域にずらし、転倒に対する安全率を確保する。この場合のワイヤーロープの負担力Pは、個々の石に対して
Fｐi＝Ri／（Mi−Pi・ｙi）
Pi＝Mi（Fｐi−Fi）／（Fｐi・ｙi）
P：ワイヤーロープに作用する負担力
Fｐi：目標安全率
Fi：初期安全率
ｙi：回転点から石の重心までの転倒に関する距離
実際には負担力Pが最も大きくなる転石（群）に対して設計し、これを全体にあてはめることになる。尚、連結しても全体としての安全率が不足する場合には、グランドアンカー等による補強を行う。
【産業上の利用可能性】
【００４３】
この発明の落石防止工法は、個々の不安定な石や隣接する石或いは転石群の全体を現場の状況に適応し被覆することができる。
【図面の簡単な説明】
【００４４】
【図１】（Ａ）は本発明に係わるエレメントを伸ばした状態を示す正面図である。（Ｂ）は（Ａ）をリングにしたエレメントの状態を示す正面図である。（Ｃ）は（Ａ）のエレメントを連結し落石防止ネットを構成した状態を示す正面図である。
【図２】（Ａ）はエレメントの端部連結具の構成を示す正面図である。（Ｂ）は（Ａ）の端部連結具を接続した状態を示す平面図である。
【図３】（Ａ）はエレメントアンカーの打ち込み状態を示す側面図及び正面図である。（Ｂ）は（Ａ）のインナーの側面図及び正面図である。（Ｃ）は（Ａ）のアウターの構成を示す側面図である。（Ｄ）は（Ｃ）の側断面図である。（Ｅ）は（Ａ）の打ち込み作業の態様を示す側面図及び打ち込み完了状態を示す側面図である。（Ｆ）はシャックルの正面図である。
【図４】（Ａ）は石の滑動に関する力関係を示す作用図である。（Ｂ）は石の滑動に関する連結効果を示す作用図である。
【図５】（Ａ）は石の転倒に関する力関係を示す作用図である。（Ｂ）は石の転倒に関する連結効果を示す作用図である。
【図６】（Ａ）は本発明による落石防止工法及び落石防止ネットの施工態様を示す側断面図である。（Ｂ）は（Ａ）の平面図である。
【図７】（Ａ）は従来の落石防止工法及び落石防止ネットの施工態様を示す側断面図である。（Ｂ）は（Ａ）の平面図である。
【図８】（Ａ）は本発明による別の落石防止工法及び落石防止ネットの施工態様を示す側断面図である。（Ｂ）は（Ａ）の施工完了状態を示す側断面図である。
【図９】（Ａ）は本発明による落石防止ネットの別の使用態様を示す正面図である。（Ｂ）は従来の落石防止ネットの別の使用態様を示す正面図である。
【図１０】エレメントアンカーの打ち込み完了状態を示す正断面図である。
【符号の説明】
【００４５】
１    エレメント（端部連結ロープ）
２    落石防止ネット
３    端部連結具
４    ワイヤーロープ
５    係合金具
６    係止金具
７    フック部
８    止めボルト
１０  エレメントアンカー
１１  グランドアンカー
１２  ドリル穴（アンカー穴）
１３  アウター
１５  ロープ孔
１６  インナー
１７  シャックルボルト
１９  シャックル
Ｓ    転石群（石の集合体）
【図１】
0004615203.tif 000002
【図２】
0004615203.tif 000003
【図３】
0004615203.tif 000004
【図４】
0004615203.tif 000005
【図５】
0004615203.tif 000006
【図６】
0004615203.tif 000007
【図７】
0004615203.tif 000008
【図８】
0004615203.tif 000009
【図９】
0004615203.tif 000010
【図１０】
0004615203.tif 000011